Podtech/llm-jp-corpus-v4-ja_patent huggingface dataset:
(57)【要約】【課題】衝突混合の特長（超速乾性、耐衝撃性、剛性、耐薬品性、低温特性、等）を生かした新工法・新塗材である。環境上の資源（エネルギーも考慮）の有効利用、生産性向上を特に念頭においた。【解決手段】衝突混合の特長を生かし、新工法、新塗材を作製した。【選択図】なし【特許請求の範囲】
【請求項１】
遮熱塗料と発泡タイプの衝突混合を塗装する断熱性の優れた工法。
【請求項２】
衝突混合で、パウダースラッシュ工法の代替が可能な工法。
【請求項３】
衝突混合の塗材に殺菌剤と消臭剤を混入し、抗菌性と消臭機能を付与した塗材。
【請求項４】
衝突混合で、ポリウレタンパウダー（またはポリウレタンビーズ）を作製する工法。
【発明の詳細な説明】
【技術分野】
【０００１】一般的にいわれる衝突混合は、高圧力で塗材（ポリウレタン、ポリウレア、発泡ポリウレタン等）を霧化し、被塗物に吹き付ける超速乾性塗材および工法である。塗材は通常２液で、吹き付けガンで２種類の塗材を事前に混合する。衝突混合の長所は、超速乾性、厚塗りができることである。超速乾性であるため短工期であり人件費の削減が可能である。１００％リキッドであり、有害な有機溶剤は全く含有せず、ＶＯＣの観点からも優れており、耐久性も優れた工法・塗材である。衝突混合の短所は、霧化し塗装するので塗装時にミストが発生すること、ミスト発生により塗材のロスが生じること、薄膜が困難なことである。
【背景技術】
【０００２】環境対応（消費エネルギーの低減：ＣＯ２の削減）は、我国の重要な課題である。鋼板建材や窯業建材（壁材や屋根材）の断熱性を向上させるのに、断熱材（発泡ウレタンシート等）内装する場合が多い。遮熱塗料は以前からあり、太陽光（赤外線）を５０〜９０％、反射し遮熱している。【０００３】自動車用途等の内装フィルムを製造するのに、粉体樹脂（ウレタン、アクリルウレタン、アクリル、ポリエステル、ポリオレフィン、等）、またはそれらを着色した粉体樹脂を、熱した金型に吹き付け、金型の模様を忠実に再現し、フィルム化する工法である。【０００４】衝突混合で極めて微小に霧化され塗装された塗膜は非常に緻密であり細菌やカビが塗膜に付着しにくい。しかしながら、殺菌・抗菌の機能は無い。【０００５】ポリウレタンパウダーは、強制乳化、転送法、懸濁法等の方法で作製され、重合時間とエネルギーが多く消費される。
【発明の開示】
【発明が解決しようとする課題】
【０００６】断熱性を向上させるのに断熱材を内装する場合が多く、内断熱といわれている。遮熱塗料は外断熱で断熱性を向上させているが、より向上した断熱性が要望されている。【０００７】衝突混合の塗膜は緻密であり細菌やカビが付着しにくい特長はあるが、殺菌・抗菌の機能は無い。【０００８】ポリウレタンパウダーの作製は、強制乳化、転送、懸濁等の製造法があるが、製造に多くのエネルギーを消費し製造時間が長くかかる。通常のウレタンパウダーは透明である。
【課題を解決するための手段】
【０００９】例えば鋼板建材や窯業建材の表面に遮熱塗料を塗装し、裏面に発泡ポリウレタンを塗装する。遮熱塗料で太陽光（赤外線）を反射させ遮熱し、発泡ポリウレタンで熱伝導を抑えることによる相乗効果で、より断熱性の向上が期待できる。【００１０】金型に離型剤（フッ素系、シリコン系等）を塗布しておき、フィルムを剥がしやすくしておく。衝突混合で、霧化され塗着した樹脂はフィルム化される。微小に霧化された粒子が結合するので金型の模様を忠実に微細に再現できる。衝突混合は架橋タイプであり、作製されたフィルムは強靭である。金型は、ロール状（印刷に使用されるロール等）であれば、連続性生産が可能になる。ロールの大きさは、製造条件により任意に決める。【００１１】衝突混合で吹き付け成膜した塗膜に殺菌性・消臭性を発現させるには、あらかじめ、殺菌剤や消臭剤を塗材に混入しておく。例えば、殺菌剤・ラサップ、消臭剤・シュークレンズ（両製品とも、ラサ工業株式会社製）をあらかじめ塗材に混入しておく。【００１２】空気中に放出した塗材粒子が硬化後、ウレタンパウダーとして回収する。回収方法は、一定時間、空気中に霧化した塗材が粒子状に硬化した時点で回収する。又、霧化した塗材を一定の距離から水に吹き付け回収する。粒子系、硬度等の粒子物性は、塗材の選択と塗材の塗出条件等で決定する。通常のウレタンパウダーは透明物が多い。本発明のウレタンパウダーは、塗材に予め顔料を混入することにより、任意に着色することが可能で、着色ウレタンパウダーの作製が可能である。顔料の混入部数は、希望する着色度により、任意に決定する。
【発明の効果】
【００１３】下記の断熱性試験をした結果、顕著に断熱性の向上がみられた。温度測定は、サーモラベル（日油技研工業株式会社製）とＥＳＰＥＣ  ＴＨＥＲＭＯ  ＲＥＣＯＲＤＥＲ  ＲＴ−１１（エスペック株式会社製）を使用した。実験基材は熱伝導のよいＧＬ鋼板・３検体（ガルバリウムめっき鋼板：▲１▼無処理鋼板、▲２▼表面に遮熱塗料を塗装、▲３▼表面に遮熱塗料を塗装し裏面に３倍発泡ポリウレタンを塗装）を使用した。
【断熱性能試験】
※基材：ＧＬ鋼板
※室温：２０℃
※実験箱の大きさ：横／８０ｃｍ、縦／２６ｃｍ、高さ／４３ｃｍ
※実験箱の内径：横／２４ｃｍ×２、縦／２４ｃｍ×２高さ／４１ｃ×２
※電球（投光機を使用）：定格電圧／１００Ｖ、定格消費電力／４５０Ｗ，
定格周波数／５０／６０Ｈｚ
※電球からＧＬ鋼板の距離：３１ｃｍ
※サーモラベル：不可逆性、５０℃〜９５℃
※遮熱塗料：日本ペイント株式会社製（白色）
※３倍発泡ポリウレタン：Ｃｈｅｍｌｉｎｅ社製（米国）
※実験箱の前面を開放（室温：２０℃）と前面を閉鎖した２通り測定した。
2010260040.tif 000002
断熱性能試験の通り、断熱性の向上がみられた。又、冬場の低温時においても断熱材の効果で暖房エネルギーの低減が可能になる。
【００１４】衝突混合でのパウダースラッシュ代替は、金型を熱する必要はなく連続生産も可能であり、エネルギーの低減と生産性の向上に貢献する。製造されたフィルムは、衝突混合の特長である物性（耐衝撃性、引っ張り強度、等）が良く、優れた低温特性をもち、耐薬品性（耐酸性、耐アルカリ性、等）にも優れている。本工法での調色は、任意に簡単にできる特長がある。
【００１５】衝突混合は、微小に霧化した粒子が衝突し、粒子同士が融着し架橋するため塗膜は緻密になるといわれている。緻密な塗膜であるため、カビや雑菌が塗膜に付着が少なくなる。殺菌剤や消臭剤を混入させた塗材を塗布することにより、カビや雑菌の繁殖が抑制できる。同時に消臭効果も期待できる。病院でのカビや雑菌の繁殖抑制、食品工場でのＨＡＣＣＰ（Ｈａｚａｒｄ  Ａｎａｌｙｓｉｓ  ａｎｄ  Ｃｒｉｔｉｃａｌ  Ｃｏｎｔｒｏｌ  Ｐｏｉｎｔ）対応、製薬会社の製造工程での利用など、カビや雑菌に対し厳しい衛生管理が必要な場所に役立つ。
【００１６】通常のウレタンパウダーの作製はバッチ式（重合釜の容量で生産量が決まる。）であるが、本発明は連続生産が可能であり、希望する数量を連続的に製造できる。従来のウレタンパウダーは通常、透明であるが、本発明の特長である、任意に着色した塗材を使用しウレタンパウダーが作製できるので、顧客の要望する色調のウレタンパウダーが提供できる。
【実施例】なし
【図面の簡単な説明】なし
【符号の説明】なし
(57)【要約】【課題】  本発明は、長方形のプラスチックシートに銅箔（アルミニウム箔）を貼り合わせたシートを靴の中、流し台の排水溝、花瓶の水の中、乗用車のフロアーマットの表、裏側、布巾掛けに吊るし黴や雑菌の繁殖を銅の微量金属作用によって長期的に押え悪臭やヌメリの発生を抑制する除菌消臭シートを提供する。【解決手段】  銅箔（１）にプラスチックシート（２）を貼り、プラスチックシート（２）の底面両端に両面テープ（３）を設けたことを特徴とする除菌消臭シート。【選択図】図１
2010260841.tif 000002
【特許請求の範囲】
【請求項１】
銅箔（１）にプラスチックシート（２）を貼り、プラスチックシート（２）の底面両端に両面テープ（３）が順次積層されている除菌消臭シート。
【発明の詳細な説明】
【技術分野】
【０００１】  本発明は、長方形のプラスチックシートに銅箔（アルミニウム箔）を貼り合わせたシートを靴の中、流し台の排水溝、花瓶の水の中に置き黴や雑菌の繁殖を銅の微量金属作用によって長期的に押え悪臭やヌメリの発生を抑制する抗菌消臭シートに関するものである。
【背景技術】
【０００２】  従来、靴の中、乗用車のフロアーマット、濡れ布巾、台所の排水口、花瓶の水の悪臭ヌメリの発生に対する対処は衛生を保つために乾燥や脱臭除菌剤を併用するものであるが、長期間にわたる効果の持続性に欠ける問題点があった。
【発明の概要】
【発明が解決しようとする課題】
【０００４】  本発明は、生活習慣の中で毎日履かなければならない靴、花瓶、流し台の排水口の溜り水、乗用車のフロアーマットなど利用者の悩みとなっているこれらの臭の素である黴、雑菌の繁殖に起因する悪臭ヌメリを軽減するものである。
【課題を解決するための手段】
【０００５】  銅箔（１）にプラスチックシート（２）を貼り、プラスチックシート（２）の底面両端に両面テープ（３）を設ける。
以上のように構成された除菌消臭シートである。
【発明の効果】
【０００６】（イ）我が国は高温多湿のため日常仕事用、スポーツ用、上履きなどの靴は休み以外毎日長時間履くことが多く、靴を履くことに依る足の臭いは生活上も衛生上にも大きな問題があった。
本発明を利用することでこの問題は大きく改善される。
（ロ）日常生活上流し台の排水口は洗浄しずらく、毎日のように魚、肉、野菜汁が流れ排水口の水の中は雑菌が多く繁殖し悪臭やヌメリを発生し生活上、衛生上にも大きな問題があった。
本発明を利用することで、この問題は大きく改善され、生活の衛生、快適化に貢献するものである。
（ハ）我が国は高温多湿のため乗用車のフローマットは、一般的に化学繊維で毛足も長く靴底に付着した黴菌や雑菌が繁殖しやすく臭いや黴を発生させ多くの人を悩ましてきた。
本発明を利用することで、この問題は大きく改善され、衛生、快適化に貢献するものである。
（ニ）我が国は高温多湿で住宅環境もマンション化し窓のない台所も多く濡れ布巾を布巾掛けに干すと外気の流動もなく乾きにくく、黴や雑菌が繁殖しやすく蒸れた臭いは多くの人を悩ませてきた。
本発明を利用することで、この問題は大きく改善され、衛生、快適化に貢献するものである。
【図面の簡単な説明】
【０００７】
【図１】  本発明の斜視図である。
【図２】  本発明の斜視図である。
【図３】  本発明の使用状態を示した斜視図である。
【図４】  本発明の使用状態を示した斜視図である。
【発明を実施するための形態】
【０００８】  以下、本発明の実施の形態について説明する。
（イ）銅箔シートを靴の中に容れて脱下駄箱や靴袋に収納する。
靴を履くと密封された足から発汗された汗が靴底に染込み黴や雑菌の養分と成り繁殖し悪臭を発生させる雑菌を銅箔の微量金属作用で殺菌し、雑菌の繁殖を防ぎ悪臭を軽減することが出来る。
（ロ）流し台の排水口は魚、肉、野菜汁が溜まり、雑菌の養分と成り繁殖する溜り水の中に筒状に丸めた銅箔シートを設置することにより雑菌を銅箔の微量金属作用で殺菌し、雑菌の繁殖を防ぎ悪臭やヌメリの発生を軽減することが出来る。
（ハ）銅箔シートを乗用車のフロアーマットの表側に敷く。
締め切り状態の車内は高温多湿で食べくず、土、フロアーマットの成分を養分として繁殖し悪臭を発生させる雑菌を銅箔の微量金属作用で殺菌し、雑菌の繁殖を防ぎ悪臭の発生を軽減することが出来る。
（二）銅箔シートを布巾掛けに吊るす。
窓のない台所は高温多湿で外気の流入も無い環境で、濡れた布巾を掛けていると、洗い残ったゴミや布巾の成分を養分として繁殖し悪臭を発生させる雑菌を銅箔の微量金属作用で殺菌し、雑菌の繁殖を防ぎ悪臭の発生を軽減することが出来る。
【符号の説明】
【０００９】      １  銅箔
２  プラスチックシート
３  両面テープ
【図１】
2010260841.tif 000003
【図２】
2010260841.tif 000004
【図３】
2010260841.tif 000005
【図４】
2010260841.tif 000006
(57)【要約】      （修正有）【課題】カレンダーに密封袋を設け、月毎に嗜好品、納入品等を袋に収納し、楽しみが増し、役立つ、カレンダーを提供する。【解決手段】カレンダー１の一枚ごとの各葉において、毎月部分（月表示）の全日数（１日〜３０日）に、収納密封した袋２を、接着面３により分離可能となるように設ける。収納密封袋には、表面表紙にそれぞれの月のみの印刷を（例１月〜１２月）が表記してあり、その袋を取り外せば従来通り日々（例１〜３１日）が印刷をされている。分離可能な接着面は両面テープ、のり付、接着剤付、ミシン目など収納内容物や種類の形状、量などに応じ、いずれかを活用し、脱着及び分離可能としたものである。【選択図】図１
2010260329.tif 000002
【特許請求の範囲】
【請求項１】
カレンダー、図面中記号１の一枚ごとの各葉において、毎月部分（月表示）の全日数（１日〜３０日）に、図面記号２の収納密封した袋を、記号３の接着面より分離可能となるように設ける、物品の密封袋を設けて取付けたカレンダーである。
【請求項２】
この収納密封袋には、表面表紙にそれぞれの月のみの印刷を（例１月〜１２月）があえて表記してあり、その袋を取り外せば従来通り日々（例１〜３１日まで）が印刷をされているので、何らの支障はない物品を収納した密封袋を設けて取付け
カレンダーとしたものである。
【請求項３】
またこの分離可能な接着面は両面テープ、のり付、接着剤付、ミシン目など収納内容物や種類の形状、量などに応じ、いずれかを活用し脱着、及び分離可能としたものであるカレンダーは、
収納袋を別に設け、袋の裏面、図面記号３番のように接着等が可能に行なえる。したがって、上記のいずれかを用いて物品を収納した密封袋を設け取付けたカレンダーである。
【発明の詳細な説明】
【技術分野】
【０００１】  本発明は、物品を収納した密封袋を設けて取付けたカレンダーを提供することを目的とするものである。
【背景技術】
【０００２】  今日環境問題に関する社会的な認識の高まりの中、社会的な不安感も増大してきている。
ところがこういった生活の中で日々活用する身近なカレンダーにおいては、（具体的に言うならば）人々が安心とか安らぎを日々求めているにもかかわらず、対応できるカレンダー製品（商品）は無かったと言える。【０００３】  こういった点に着目すると、嗜好品が適当ではあるが、植物の花の種、野菜の種子、温泉パウダー、または占いカードなどの内でカレンダーに簡単に活用せんとするならば、それぞれを個々に別に（月々においても）購入をせねば手に入らなかった関係上便利も悪かったわけである。【０００４】  本件申請に近い発明としては、下記特許文献などにおいて工夫改良されたのがあるが、これは納入物の「取り出しが出来るポケット」であって、当申請とは全く違い、すでに物品を収納密封し閉じられた袋を設けて、それをカレンダーに取付けをされているものではない。
【特許文献】  特開２００２−４６３６９
【発明の開示】
【発明が解決しようとする課題】
【０００５】  本発明は前述の問題点に鑑みなされたもので、カレンダーという毎月ごとの変わるメリットを生かしそこに着目し、密封袋を設けて、その内部に嗜好品的な植物の花の種、野菜の種子、温泉パウダーまたは占いカード等を毎月ごとに袋に収納してあると楽しみが増すこと、役に立つことを課題とした。
つまり従来は、カレンダーと密封袋（嗜好品、納入品）は別々になって消費者に販売されていたわけである。【０００６】  ところで、前述した特許文献において問題となるのは、「ポケットであるのであるから」本件申請に用いたならば、密封されていないが為に、中身の品質や鮮度が落ちたり、また、中身が外部に出てしまうことにもなり困ることになる。
そこで本発明は、以上のような欠点と問題点をなくし、解決するためになされたものである。
【課題を解決するための手段】
【０００７】  カレンダー、図面中記号１の一枚ごとの各葉において、毎月部分（月表示）の全日数（１日〜３０日）に、図面記号２の収納密封した袋を、記号３の接着面より分離可能となるように設ける、物品の密封袋を設けて取付けたカレンダーである。【０００８】  この収納密封袋には、表面表紙にそれぞれの月のみの印刷を（例１月〜１２月）があえて表記してあり、その袋を取り外せば従来通り日々（例１〜３１日まで）が印刷をされているので、何らの支障はない物品を収納した密封袋を設けて取付け
カレンダーとしたものである。【０００９】  またこの分離可能な接着面は両面テープ、のり付、接着剤付、ミシン目など収納内容物や種類の形状、量などに応じ、いずれかを活用し脱着、及び分離可能としたものである。
つまり収納袋を別に設け、袋の裏面、図面記号３番のように接着等が可能に行なえる。したがって、上記のいずれかを用いて物品を収納した密封袋を設け取付たカレンダーである。
【発明の効果】
【００１０】  カレンダーの毎月各葉ごとに、嗜好品物品等を収納した密封袋を設けて、分離可能に取付けをされているため、たとえば、当該月に植物の花の種、野菜の種子、温泉パウダー、あるいは占いカードなど嗜好的な品々や物品を買いに行ったり求めたりする手間がこれで省けるわけである。【００１１】  このカレンダーを利用される利用者や消費者は的確に密封袋の種子などを忘れることなく当該月に（時期を）逃さず好適時期に的確な種まきや活用等が出来ることが必然的に可能となる。【００１２】  また、物品を収納した密封袋を設けて取付けられたカレンダーは、利用者に対してリアルタイムに納入物品を提供できるため、購入者や提供者の利用価値も向上し、有効に毎月活用される道も開けるように物品を収納した密封袋を設けて取付けられたカレンダーであって、袋が分離可能なため袋を取り除けば使うのに何らの支障は生じない。
【発明を実施するための最良の形態】
【００１３】  以下本発明を図面に基づいて説明する。
年６枚または１２枚で構成されたカレンダーであって、各葉ごとに嗜好物的な花の種、野菜の種子、温泉パウダー、占いカード等のいづれかを毎月ごとに収納した袋を分離可能にカレンダーに取付けられている。【００１４】  前記の袋の収納物は、嗜好品や、該当する各月または各季節に植えたりする種子等の内容物であることが望ましい。【００１５】  前記袋の接着面、取付面は分離可能で内容物により、両面テープ、のり付、接着剤付、ミシン目等のいずれかひとつを活用する。
これを使用（活用）するときは、袋の表面に当該月のみ印刷されているので、日々曜日を見るためにも、袋を分離すれば従来通りのカレンダーとなり、何らの支障もなく、袋内の収納物を好適時期に当然のごとく有効（利用者、消費者に）活用される様になるわけである。
本発明は以上のような構造である。
【図面の簡単な説明】
【００１６】
【図１】  本発明の袋を取付けてあるイメージ斜視図であるカレンダー。
【図２】  本発明の分離可能な袋を取り除いた状態。
【図３】  本発明のイメージ側面図である。
【符号の説明】
【００１７】  １、  従来の各葉カレンダー。
２、  接着可能な収納物袋。
３、  袋の接着面（剤）、シール接着面、取付面。
４、  収納袋を取り除いた、従来通りのカレンダー状態。
【図１】
2010260329.tif 000003
【図２】
2010260329.tif 000004
【図３】
2010260329.tif 000005
(57)【要約】      （修正有）【課題】今日は年初から何日目にあたるのか、及び今日から年末までは後何日残されているのかを容易に把握できるカレンダーを提供する。【解決手段】中心を１として初め、時計回りに連続した一年間の日にちの数字を外側に向けて渦巻き状に配置配列して表示する。その数字と共に、１月１日から１２月３１日までの日付及び曜日を順番に重ね合わせて併記したカレンダーとする。始まりの１に重なるのが１月１日であり、最後の３６５に重なるのが１２月３１日となる。同様に、逆から始まる数字を用いて表示されたカレンダーを作る。中心を３６５とし１まで順次減らしていった日にちの数字を外側に向けて渦巻き状に表示する。その数字と共に、１月１日から１２月３１日までの日付及び曜日を順番に重ね合わせて併記する。始まりの３６５に重なるのが１月１日であり、最後の１に重なるのが１２月３１日となる。【選択図】図１
2010260332.tif 000002
【特許請求の範囲】
【請求項１】
中心から始まり外側に向けて時計回りに旋回拡張する形状で、連続した日数と日付及び曜日とを併記し、渦巻き状に配列配置表示したカレンダー。
【発明の詳細な説明】
【技術分野】
【０００１】この発明は、中心から外側に向けて時計回りに一年間の連続した日数と日付、曜日とを重ね合わせて表記した渦巻き状配列日数・日付・曜日併記表示カレンダーに関するものである。
【背景技術】
【０００２】従来カレンダーは、一年間３６５／３６６の日付・曜日が一月毎に区切って１２ヶ月に表示されている。
【発明の開示】
【発明が解決しようとする課題】
【０００３】これは次のような欠点があった。
月の推移が日付に先行して認識され、一年間３６５／３６６日を年間を通して連続した日々のつながりとして捕らえることはなおざりになりがちである。
今日が新年の始まりから何日目になるのか、又年末まであと何日残されているのかを短時間に確認することが難しい。
本発明は、以上のような欠点を補足するためになされたものである。
【課題を解決するための手段】
【０００４】先ず中心を１として初め、時計回りに連続した一年間の数字を外側に向けて渦巻き状に配列表示する。
その数字と共に１月１日から１２月３１日までの日付及び曜日を順番に併記した回転表現のカレンダーとする。
１に重なるのが１月１日であり、３６５に重なるのが１２月３１日となる。
同様に、逆から始まる数字を用いて表示されたカレンダーを作る。
中心を３６５とし１まで順次減らしていった数字を外側に向けて渦巻き状に表示する。
その数字と共に１月１日から１２月３１日までの日付及び曜日を順番に併記する。
本発明は、以上の構成よりなる渦巻き状配列日数・日付・曜日併記表示カレンダーである。
【発明の効果】
【０００５】一年３６５日の日数と日付及び曜日が重なって表示されることによって、一年間の日にちの経過を容易に把握することが出来き、年単位で本日現在の位置の認識が明確となる。
この連続し回転するように拡張してゆく表示形態によって、目の動線がスムーズに移行し一年間を一つの単位として捕らえることができる。
（イ）一年の始まりから当日までの経過日数が容易に確認できる。
（ロ）当日から年末までの残り日数が容易に確認できる。
【発明を実施するための最良の形態】
【０００６】以下、本発明を実施するための最良の形態について説明する。
中心に１を置き、そこから３６５までの連続する数字を、時計回りに渦巻き状に配列表示する。
その数字の上に一年間の日付（月及び日にち）と曜日を順番に重ねて置く。
連続する３６５日の日数と日付が併記され、旋回しながら拡張してゆく配列構成で表示される形態のカレンダーが、本発明の要点である。
同様に、逆から始まる（中心に３６５を置く）数字を用いて表示されたカレンダーを作る。
【図面の簡単な説明】
【０００７】
【図１】本発明の中心が１から始まる数字の配列を表示する構成図である。
【図２】本発明の中心が３６５から始まる数字の配列を表示する構成図である。
【符号の説明】
【０００８】上記の図１及び図２に関しまして、特定する符号は提示表記されていません。
【図１】
2010260332.tif 000003
【図２】
2010260332.tif 000004
(57)【要約】      （修正有）【課題】牛乳パックや飲料パックの口を開口する場合、手指をその口に挿入して開けるが、通常はパックの開口部が接着されているので開口しにくい。また先の尖った細い棒などを用いてパックを開口する際に専用の器具がなかった。【解決手段】飲料パックを開口するための器具であって、両側面部と上面部３で形成され、片側側面前部は鋭角的形状部２に形成され、それに相対する片側側面の前側部分は反対側の鋭角的形状部２が露出するように側面前側部分を切除して開放した形状の前部開放側面部１とする。両側面と上面の内側は空間部を形成したものである。また、本器具を不使用時は、パックの開口部に被せておけば、開口部の蓋的役割も可能である。【選択図】図１
2010260632.tif 000002
【特許請求の範囲】
【請求項１】
両側面部と上面部（３）で形成され、片側側面の前部は鋭角的形状部（２）に形成され、それに相対する片側側面の前側部分は反対側の鋭角的形状部（２）が露出するように側面前側部分を切除して開放した形状の前部開放側面部（１）とする。両側面と上面の内側は空間部を形成する。以上を形成して成る飲料パック開け専用器具。
【発明の詳細な説明】
【技術分野】
【０００１】本発明は、主として飲料パックの開口用器具に関するものである。
【背景技術】
【０００２】現在、牛乳パックやのジュース類などの飲料パックの開口部を開ける際は、手指で開けるか、または薄い板状の物や或いは先端の尖った鋭角的になっている物を用いて開口している。
【先行技術文献】
【特許文献】
【０００３】
【特許文献１】
【発明の概要】
【発明が解決しようとする課題】
【０００４】従来、牛乳パックや飲料用のジュースパック等を開ける際は、手指で開ける場合が多いが、パックの開口部が接着されており開けにくい。無理に手指で開けるが、これは手に付いた細菌類が開け口に付着するので不衛生である。また、その都度飲料パックの開け口に入りやすい先の細い棒状の物を用いてパックを開口しており、開口用の器具がなかった。
本発明は、それらの課題を解決するために、飲料用パックを開口する専用器具として発明されたものである。
【課題を解決するための手段】
【０００５】本発明は、上記課題を解決するために成されたもので以下の構成となっている。
両側面部と上面部（３）で形成され、片側側面の前部は鋭角的形状部（２）に形成され、それに相対する片側側面の前側部分は反対側の鋭角的形状部（２）が露出するように側面前側部分を切除して開放した形状の前部開放側面部（１）とする。両側面と上面の内側は空間部を形成する。以上を形成して成る飲料パック開口用器具。
【発明の効果】
【０００６】以上の説明から明らかなように、本発明にあっては次に列挙するような効果が得られる。
（１）［請求項１］の構成要件に記すように、本器具の片側側面の鋭角的形状部（２）は、相対する片側側面の前部が切除され開放されているので、飲料パック上端部に干渉されることなく、接着され僅かに開口した飲料パック開口部に容易に挿入することができる。挿入後、本器具を手前に引くなどして、飲料用パックの開口部を手指を使わずに容易に開けることができる。【０００７】（２）また、この専用器具は両側面と上面で形成された内側が空間になっているので、本器具を飲料パックの開口した上端部に蓋をするように設置しておくことができる。即ち開口部の蓋としての役目もできるので異物等の混入を防止できる。従って上記（１）の効果と合わせて２面的な機能を有するものである。【０００８】
【図面の簡単な説明】
【０００９】
【図１】は、本発明の最良の形態を示す第１実施例の斜視図である。
【図２】は、鋭角的形状部（２）を有する片側側面図である。
【図３】は、上面部（３）図である。
【図４】は、側面前部を斜め形状に切除した前部開放側面部（１）図である。
【図５】は、矢印のＡ方向より視た後面図である。
【発明を実施するための形態】
【００１０】以下、本発明の実施の形態を図に基づいて説明する。
【実施例１】
【００１１】図１は本発明の斜視図である。
側面前部を鋭角的形状部（２）とした片側側面部と、これに相対する前部開放側面部（１）は、片側の鋭角的形状部（２）が露出するように、側面前部を斜め方向に切除して開放したものである。
本器具は、上記の前部開放側面部（１）と片側前部を鋭角的形状部（２）とした側面部と上面部（３）により形成されその内側は空間部と成っている。
前部開放側面部（１）は、相対する側面の鋭角的形状部（２）が、これを使用して飲料パックの開け口に挿入するとき、鋭角的形状部（２）の部分が飲料パックの上端部に当たり干渉しないように側面前部を開放したものである。
本発明の飲料用パック開口専用器具は、これを使用する時は、本器具の図１で示す鋭角的形状部（２）が、通常は飲料用パック上端部の接着された部分の中で僅かに開口した部分に容易に挿入できるもので、挿入後、手前に引くなどして飲料パックの口が開口される。開口後は、本専用器具の内側空間部が飲料用パックの上端部に入るので、本器具をそのまま設置しておく事ができるのでパックの開口部のカバーとして異物の混入などを防止できる。
上述のように本器具の機能は、飲料パックの接着された開口部を鋭角的形状部（２）により容易に開けることができるとともに、本器具を不使用時は飲料パックの開口部の蓋的な役割ができる機能も合わせ持つものである。
片側側面前部の鋭角的形状部（２）の部分は、その上下方向の長さは側面部下端位置と同じか、または、下端位置より下側に長くすることも任意にできる。
飲料パックの開口部は当初、接着されているか、または僅かに開口しているので鋭角的形状部（２）が適度な深さまで挿入し易くすることができる。
鋭角的形状以外の他の形状としては、鉤型の形状や先端部分をスプーン的なをやや丸みを持たせ形状とすることもできる。本器具は、樹脂類やステンレス等の金属などで形成することができる。また、本器具にバネを持たせて飲料パック上端部を挟むようにすることもできる。
【符号の説明】
【００１３】（１）・・・・・  前部開放側面部
（２）・・・・・・鋭角的形状部
（３）・・・・・・上面部
【図１】
2010260632.tif 000003
【図２】
2010260632.tif 000004
【図３】
2010260632.tif 000005
【図４】
2010260632.tif 000006
【図５】
2010260632.tif 000007
(57)【要約】      （修正有）【課題】敷居溝内に混入した異物を除去し，さらに，異物がドアの下端と敷居上面の間に滞留しない構造のエレベーターの敷居溝異物除去装置を提供する。【解決手段】敷居５の溝内５ａに混入した異物をすくい上げ排除するために，ドアに取付けられドアシュー４を取付けるための取付け金具２の異物除去部品取付け部に異物除去部品２０を止めネジ１１により取付ける。異物除去部品２０は，異物をすくい上げる傾斜部と，この傾斜部にてすくい上げる異物を敷居の外側で乗り場と逆側の塔内に排除する誘導板とを備えている。【選択図】図４
2010260670.tif 000002
【特許請求の範囲】
【請求項１】
エレベータドアの下端に設けられたドアシューがドア開閉時に案内される敷居溝内の異物を除去するエレベーターの敷居溝異物除去装置において、
前記ドアシューを取付けるための金具に取付けられ，前記ドアの開閉時に前記シル溝へ当接しながら摺動し前記敷居溝内に混入した異物をすくい上げる傾斜部と、この傾斜部の周縁部に設けられ前記傾斜部ですくい上げた異物を乗場とは逆方向に位置する塔内側へ除去するよう誘導する誘導板とを備えて構成したことを特徴とするエレベーターの敷居溝異物除去装置。
【発明の詳細な説明】
【技術分野】
【０００１】
本発明は，エレベーター用ドアシューの敷居溝に混入した異物によるドアロックを防止するための，エレベーターの敷居溝異物除去装置に関する。
【背景技術】
【０００２】
この種の装置としては，エレベーターの出入り口装置が知られている。
【０００３】
敷居の溝に混入した異物が，敷居の溝内を摺動するドアシューの妨げとなりドアが正常に開閉できずロックすることがある。
【０００４】
このロック現象を回避するため，敷居の溝に混入した異物をすくい上げて排除する装置を設けることが提案されている（特許文献１参照）。
【先行技術文献】
【特許文献】
【０００５】
【特許文献１】特開平０６−０７２６７９号公報
【発明の概要】
【発明が解決しようとする課題】
【０００６】
上記従来の技術によれば，敷居の溝内に異物が混入することによりドアがロックすることを防止するため，異物を除去する構造が提案されているが，敷居の溝内に混入した異物をすくい上げても，異物はドアの下端と敷居上面の間に滞留し，ドアロックの新たな要因になっていた。
【０００７】
本発明は上記不都合に鑑みて為されたもので、その目的は、敷居溝内に混入した異物を
除去し，さらに，異物がドアの下端と敷居上面の間に滞留しない構造のエレベーターの敷
居溝異物除去装置を提供するにある。
【課題を解決するための手段】
【０００８】
本発明は上記目的を達成するため、エレベータドアの下端に設けられたドアシューがドア開閉時に案内される敷居溝内の異物を除去するエレベーターの敷居溝異物除去装置において、前記ドアシューを取付けるための金具に取付けられ，前記ドアの開閉時に前記シル溝へ当接しながら摺動し前記敷居溝内に混入した異物をすくい上げる傾斜部と、この傾斜部の周縁部に設けられ前記傾斜部ですくい上げた異物を乗場とは逆方向に位置する塔内側へ除去するよう誘導する誘導板とを備えた構成にしたことを特徴とする。
【発明の効果】
【０００９】
本発明によれば、傾斜部により敷居溝内に混入した異物をすくい上げて排除し、傾斜部によりすくい上げた異物を誘導板により乗場とは逆方向に位置する塔内側へ除去できるので、すくい上げた異物がドアの下端と敷居上面の問に滞留することはなくなり、ドアロックの要因を排除できる。
【図面の簡単な説明】
【００１０】
【図１】エレベーターのドアを示す正面図である。
【図２】エレベーターのドアを側面から見た異物除去部品取付け部の拡大図である。
【図３】本発明の一実施形態に係る異物除去部品の斜視図である。
【図４】本発明の一実施形態に係る異物除去部品の取付けた異物除去部取付け部の拡大図である。
【発明を実施するための形態】
【００１１】
図１はエレベーターのドアを示す正面図で，図２はエレベーターのドアを側面から見た異物除去部品取付け部拡大図である。１はエレベーターのドア，２はドア１の下に設けられた取付け金具，３は取付け金具２をドア１に固定するためのボルト，４は取付け金具２に固定され、敷居５の溝内を摺動するドアシュー，５ａは敷居５の溝，６は建築物に固定されたドアレール，７はドア１の上部に設けられ，ドアレール６に沿ってドア１を吊り下げ摺動させるためのハンガーローラー，８は異物除去部品取付け部である。
【００１２】
敷居５の溝５ａに異物があると，ドアシュー４が敷居５の溝内を摺動する際の妨げになり，ドア１が閉まりきらずロックすることがあり，それを回避するための異物除去部品を取付ける。
【００１３】
公知の異物除去部品を取付けた状態では，ドア１が閉じる方向に進むと，敷居５の溝内５ａに混入した異物をすくい上げ，ドアシュー４が敷居５の溝内を摺動する際の妨げにならないようにすることができる。しかし，ドア１の下端と敷居５の間に異物が滞留し，ドアロックの新たな原因となる。
【００１４】
そこで，敷居５の溝内５ａに混入した異物をすくい上げることで，ドア１の下端と敷居５の間に異物が滞留することを回避するため，公知の異物除去部品と類似の，敷居５の溝内５ａに混入した異物をすくい上げる傾斜を持ち，さらに，すくい上げた異物を誘導する誘導板を設け，異物がドア１の下端と敷居５上面の間に滞留しないよう，傾斜を上ると異物が誘導板により敷居５の外側で，乗り場床９と逆側の昇降路に追いやることのできる構造とする。
【００１５】
図３はドア１の下端と敷居５の間に異物が滞留することを回避する異物除去部品２０の斜視図である。
【００１６】
図３において、２１は傾斜部で，この傾斜部２１は敷居５の溝内５ａに混入した異物をすくい上げるものであり，２２は誘導板で，この誘導板２２は傾斜部２２の上側になるとカーブして最上部では異物除去部品２０の外側に異物を誘導する構造とする。２３は傾斜部２１，誘導板２２と一体となった取付け部で，２４は取付け部２３に設けられた取付け穴である。
【００１７】
図４はドア１の下端と敷居５の間に異物が滞留することを回避する異物除去部品２０を取付けた状態の異物除去部品取付け部８の拡大図である。異物除去部品２０は止めネジ１１により取付け金具２に取付けられている。
【符号の説明】
【００１８】
１  エレベーターのドア
２  取付け金具
３  ボルト
４  ドアシュー
５  敷居
５ａ  敷居の溝
６  ドアレール
７  ハンガーローラー
８  異物除去部品取付け部
９  乗り場床
２１  傾斜部
２２  誘導板
２３  取付け部
２４  取付け穴
【図１】
2010260670.tif 000003
【図２】
2010260670.tif 000004
【図３】
2010260670.tif 000005
【図４】
2010260670.tif 000006
(57)【要約】      （修正有）【課題】エレベータドアの閉成動作中に、ペット用繋ぎ紐などの挟まれ状態発生を予測検知し、紐挟まり状態でのエレベータの起動により生じる紐引っ張りにより乗客が手指等に重大な損傷を被る事故を防止する。【解決手段】エレベータかご側ドア１と乗り場側ドア２の隙間部３にドア閉成点に対しドア開閉方向の対称位置にセンサー部を複数近接配置した光電装置（以下これをセンサーブロック４，５と呼ぶ）を最低１対以上設置し、ドア閉成動作中のある一定時間紐挟まれ発生過程に生ずる片側ドア閉端部８での紐引きずり状態を左右センサーブロック４，５の出力信号の差異により検知し、ドア閉成動作中に紐挟まれ状態発生を予測しエレベータ起動前に回避制御を可能とする。【選択図】図１
2010260668.tif 000002
【特許請求の範囲】
【請求項１】
エレベータ着床時にかご側ドアと乗り場側ドアの隙間部分にドア上下方向に光軸が発生するよう光電装置を設置するエレベータドア安全装置において、センサー部をドア開閉方向に一定間隔で複数配列されたセンサーブロックをエレベータのドア閉接点を中心に左右対称位置に配置し、前記左右対称に配置したセンサーブロックの検出信号が左右非対称であるときに紐挟まれ状態とすることを特徴とするエレベータ用紐挟まれ検出装置。
【発明の詳細な説明】
【技術分野】
【０００１】
エレベータの安全装置に関するものでペット用つなぎ紐のような細い紐のドア挟まれ状
態の発生をドア閉成動作中に予測し、エレベータ起動前に回避制御可能とするエレベータ
用紐挟まれ検出装置に関する。
【背景技術】
【０００２】
従来は下記特許文献１に示されるようにかご側ドアと乗り場側ドアの両ガイドレール（敷居）の隙間部のドア閉端部付近のドア上下方向に光電装置を設置し、ドア閉成時またはエレベータ起動開始時に紐挟まれ状態を検知するものが提案されている（特許文献１参照）。
【先行技術文献】
【特許文献】
【０００３】
【特許文献１】特開平６−９１８１号公報（段落０００１〜０００７、図３）
【発明の概要】
【発明が解決しようとする課題】
【０００４】
しかし、従来の方法では、紐がドア上下方向に斜めに挟まれる等、かご側ドアの閉端部と乗り場側ドア閉端部の紐挟まれ位置が離れており紐のたるみ等によりドア閉成時点での異常検知ができず、そのためエレベータが起動してかごが移動し、かご移動による紐引っ張りにより紐のたるみがなくなって初めて異常を検知して緊急停止等により事故回避をはかる等、紐の挟まれ状態をエレベータの起動前に検出して事故を回避する有効な手段がなかった。
【０００５】
本発明は上記不都合を鑑みて為されたもので、その目的は、紐挟まれ状態が発生する過程で生じる現象を検出してエレベータ起動前に紐挟まれ発生を予測して回避制御を可能とするエレベータ用紐挟まれ検出装置を提供するにある。
【課題を解決するための手段】
【０００６】
本発明は上記目的を達成するため、エレベータ着床時にかご側ドアと乗り場側ドアの隙間部分にドア上下方向に光軸が発生するよう光電装置を設置するエレベータドア安全装置において、センサー部をドア開閉方向に一定間隔で複数配列されたセンサーブロックをエレベータのドア閉接点を中心に左右対称位置に配置し、前記左右対称に配置したセンサーブロックの検出信号が左右非対称であるときに紐挟まれ状態とすることを特徴とする。
【発明の効果】
【０００７】
本発明によりドアの閉成動作中の段階で紐挟まれ状態を検出してドアの事故回避制御ができるため乗客のパニック状態を軽減できるとともに、紐挟まれ状態でのエレベータ起動の未然防止がより確実となり安全性の向上を図ることができる。
【図面の簡単な説明】
【０００８】
【図１】本発明の一実施例を示すエレベータ昇降路の平断面図である。
【図２】本発明の一実施例を示すエレベータ乗降口正面図である。
【図３】本発明の一実施例を示すセンサーブロック出力信号チャートである。
【発明を実施するための形態】
【０００９】
以下本発明の一実施例を図１から図３にて説明する。
【００１０】
図１に示すようにエレベータ乗降口側のかご側ドア１の敷居と乗り場側ドア２の敷居の隙間部３にドア閉成点９を中心に左右対称に最低１対以上のセンサーブロック４，５が配置されている。  尚、図１は一対の場合を示す。
【００１１】
センサーブロック４，５は乗降口６の上下に設置される発光部側と受光部側とを有する装置で構成され、センサー部は複数の場合はドア開閉方向に一定間隔、また単独の場合はセンサーブロック４，５の特定位置に配置されている。  尚その様子は図２にセンサー部が複数３個の場合の光軸１０で概要を示す。
【００１２】
例えば乗客がペットを繋ぎ紐７で連れてエレベータを利用し、たまたまペットと乗客がエレベータかご内側と乗り場側に分かれた状態のままエレベータのドアが閉成動作を開始した場合、乗客はその状態を回避するためペットを引き寄せようとする。
【００１３】
その場合、繋ぎ紐７は閉成動作中のドアのどちらか片側の閉端部８に引きずられる現象が生ずる。これにより一方のセンサーブロック５の出力１２はあり、他方のセンサーブロック４の出力１１はなく、左右のセンサーブロックの出力信号に差異が生ずる。
【００１４】
したがってその時の左右センサーブロック４，５の出力信号の差異（左右非対称を検出）の有無で異常の検知が可能である。
【００１５】
尚、他の状況を誤検知しないようセンサーブロック４，５はドア閉成動作中の一定時間
ｔに有効状態となるよう設定されている。
【００１６】
例えば常時有効の場合乗客の乗降動作での左右センサーブロック出力信号差異の発生が想定されるがドア開範囲が一定以上狭まった場合には通常状態では小さなものの挟まれに限定される。
【００１７】
例えば乗客の手等その他想定されるケースは既に備わっている他の手段で異常検出可能なためその既存機能動作状態と併用で紐挟まれ状態の発生を予測することができる。
【００１８】
図２の開口部点線で示す光軸１０は、繋ぎ紐７がドア閉端部８で引きずられる過程で遮断状態が発生するため引きずられ状態を検出する。
【００１９】
また単独センサーではドア開閉速度によっては応答時間の関係で紐引きずられ状態の検出が困難な場合が考えられるため片側センサーブロックは最低２個以上のセンサー部を有することが望ましいがセンサー応答性能より単独でも可能な場合がある。
【００２０】
図３で横軸はドア閉成動作中の経過時間、縦軸は各種センサー部の出力信号状態を示す。
【００２１】
上記センサーブロック有効に設定された時間帯（０−ｔ）での既存安全装置の出力信号１３がＯＦＦによりセンサーブロック出力信号での判定が有効となり左右センサーブロックの出力信号１１，１２の差異を検知し紐挟まれ状態を予測する。
【符号の説明】
【００２２】
１：エレベータかご側ドア
２：乗り場側ドア
３：エレベータかご側ドアと乗り場側ドアの隙間部分
４，５：センサーブロック
１０：光電装置の光軸
【図１】
2010260668.tif 000003
【図２】
2010260668.tif 000004
【図３】
2010260668.tif 000005
(57)【要約】【課題】パスタ等の棒状の乾麺を定分量を取り出すことのできる保存容器が考案されているが、筒状の容器の円形の取り出し口からパスタを取り出す形状であるため、少量しか入っていない場合は定分量を取り出すことが難しく、取り出し口から最後まで取り出すことができないものである。【解決手段】容器の形状を楕円形の筒状とし、蓋の長軸の両端に沿ってＵ字形の取り出し口を設けることにより、少量になっても定量分を取り出すことができ、最後までこの取り出し口から取り出せるものである。【選択図】図１
2010260602.tif 000002
【特許請求の範囲】
【請求項１】
形状が、楕円形の筒状になっている棒状の乾麺等を保存する容器。
【請求項２】
楕円形の蓋の両端に沿ってＵ字型の取り出し口を設けており、定量の乾麺を容易に取り出せる形状になっている容器。
【発明の詳細な説明】
【技術分野】
【０００１】
本発明は、パスタ等の棒状の乾麺をを保存するとともに、簡単に定分量を取り出すことのできる容器に関するものである。
【背景技術】
【０００２】
パスタ容器に関しては、従来から筒状のパスタ容器の一部に円形の取り出し穴を形成して定量のパスタを取り出す工夫がなされたものが提案されている。
【特許文献１】特開２００１−４８２６１号公報
【特許文献２】特開２００５−１１２４５９号公報
【特許文献２】特開２００６−１８２４４６号公報
【発明の概要】
【発明が解決しようとする課題】
【０００３】
筒状の容器に円形の取り出し口を設けていると、パスタを取り出す際に、取り出し穴の付近に死角ができ、パスタが少量になった際には定量分が取り出せないにもかかわらず取り出し口の付近にパスタが残っているという状況になり得るものである。
【課題を解決するための手段】
【０００４】
本発明は、この改善策として、容器の形状を楕円形の筒状とし、付属する楕円形の蓋には長軸の両端に沿ってＵ字形の取り出し口を設け、各々１００グラムと２００グラムのパスタを取り出せることを特徴としている。
【発明の効果】
【０００５】
本発明の容器は、容器の形状と取り出し口の形状により、少量になっても定量のパスタを取り出すことができ、最後までこれらの取り出し口から取り出すことができるものである。
【発明を実施するための最良の形態】
【０００６】
以下、本発明の形態を説明する。
（ア）楕円形の有底筒状の容器（１）と、容器に装着できる蓋（２）を設ける。
（イ）蓋（２）には、楕円の長軸両端に沿って、Ｕ字形の１００グラムの取り出し口（３）と２００グラムの取り出し口（４）を設ける。
（ウ）取り出し口には開閉できる蓋（５）を設け、開けた状態で留めるための凹凸（６）を設ける。
【図面の簡単な説明】
【０００７】
【図１】図１は本発明の全容を示した斜視図である。
【図２】図１は本発明の蓋の部分の平面図である。
【符号の説明】
【０００８】
１    パスタ容器本体
２    取り出し口を設けた蓋
３    １００グラム分の取り出し口
４    ２００グラム分の取り出し口
５    取り出し口の蓋
６    取り出し口の蓋を留めるための凹凸
【図１】
2010260602.tif 000003
【図２】
2010260602.tif 000004
(57)【要約】【課題】皮材を着色するだけでなく、品質に優れ、しかも安全性の高い点心類の製造方法を提供すること。【解決手段】小麦粉を主体とする皮原料に水及び紅麹を加え混練して得た皮生地を、５〜１０℃の冷蔵庫内又は常温で熟成し、この熟成後の皮生地を伸ばして成形した皮材で、具材を包んで成形する。紅麹は水１００ｃｃに対して０．０００１〜  ５０ｇの割合で加え、具材には馬肉の挽肉を配合する。【選択図】なし【特許請求の範囲】
【請求項１】
小麦粉を主体とする皮原料に水及び紅麹を加え混練して得た皮生地を、５〜１０℃の冷蔵庫内又は常温で熟成し、この熟成後の皮生地を伸ばして成形した皮材で、具材を包んで成形することを特徴とする着色点心類の製造方法。
【請求項２】
紅麹を水１００ｃｃに対して０．０００１〜５０ｇの割合で加える請求項１に記載の着色点心類の製造方法。
【請求項３】
具材に馬肉の挽肉を配合する請求項１又は２に記載の着色点心類の製造方法。
【発明の詳細な説明】
【技術分野】
【０００１】
本発明は餃子、焼売等の点心類の製造方法に関し、とくに皮材を薄紅色（さくら色）に着色した着色点心類の製造方法に関する。
【背景技術】
【０００２】
従来、皮材を着色した着色点心類は、皮原料に有色の食材やそのエキスを加えることによって製造されていた。
【０００３】
このうち薄紅色の着色餃子の製造方法として、特許文献１に、タラコ、すじこ、苺、鮭の赤身、桜の花を着色材として添加することが開示されている。
【０００４】
しかし、従来の着色点心類の製造方法は、おもに美観の面から着色材を加えるというもので、点心類とくにその皮材の食感や風味といった品質（味）の面での配慮は、ほとんどなされていなかった。また、着色材として自然食材を用いる場合であっても、種類によっては人の健康に害を及ぼす可能性のあるものもあり、安全性の面でも十分ではなかった。
【特許文献１】特開２００１−３２７２７１号公報
【発明の開示】
【発明が解決しようとする課題】
【０００５】
本発明が解決しようとする課題は、皮材を着色するだけでなく、品質に優れ、しかも安全性の高い点心類の製造方法を提供することにある。
【課題を解決するための手段】
【０００６】
本発明の餃子の製造方法は、小麦粉を主体とする皮原料に水及び紅麹を加え混練して得た皮生地を、５〜１０℃の冷蔵庫内又は常温で熟成し、この熟成後の皮生地を伸ばして成形した皮材で、具材を包んで成形することを特徴とするものである。
【０００７】
本発明では、皮材を薄紅色に着色するために紅麹を使用する。紅麹は、酒や味噌・醤油などのような発酵食品を製造する際に使用される麹の一種であり、鮮やかな紅色をしていることから、これを皮原料に加えることで皮材を鮮やかな薄紅色に着色することができる。
【０００８】
また、本発明では、紅麹を加え混練して得た皮生地を、５〜１０℃の冷蔵庫内又は常温で熟成する。この低温熟成又は常温熟成によって紅麹による発酵が適度に進み、これによって皮材にまろやかさや心地良い食感が生まれ、餃子としての品質（味）も向上する。さらに、紅麹はその発酵により「モナリコンＫ」を生成し、この「モナリコンＫ」は血清コレステロール降下や血圧降下の作用を持つことが知られている。本発明においては上記の低温熟成又は常温熟成によって適量の「モナリコンＫ」が生成されるので、健康増進の効果も得ることができる。なお、紅麹の安全性は、長い歴史が証明するところである。
【０００９】
本発明における熟成の時間の目安としては、５〜１０℃の冷蔵庫内における低温熟成の場合、０．５〜２４０時間程度、好ましくは２４〜４８時間程度である。また、常温熟成の場合、０．５〜１０時間程度、好ましくは３〜５時間程度である。ただし、常温熟成で皮原料に防腐剤を添加しない場合は、０．５〜３時間程度が好ましい。これらの低温熟成又は常温熟成は、皮生地の状態を見て適宜決定することができる。
【００１０】
本発明において紅麹は、水１００ｃｃに対して０．０００１〜５０ｇの割合で加えることが、食感や美観の面から好ましい。紅麹としては、固体の紅麹を加えても良いし、液体の紅麹を加えても良いし、固体の紅麹を水とともにミキサーあるいは粉砕機によって泥状物や細状物としたものを加えても良い。なお、固体又は液体の純粋な紅麹を加える場合は、水１００ｃｃに対して０．０２〜０．０６ｇの割合で加えることが好ましく、水とともに泥状物や細状物とした紅麹を加える場合は、水１００ｃｃに対して５〜１０ｇの割合で加えることが好ましい。
【００１１】
また、本発明の点心類の具材には馬肉の挽肉を配合することが好ましい。馬肉の使用によって、紅麹入りの皮材との組み合わせにおいて、優れた風味が醸し出される。
【発明の効果】
【００１２】
本発明によれば、点心類の皮材を鮮やかな薄紅色に着色できるとともに、品質（味）に優れ、しかも安全性の高い点心類を製造することができる。
【発明を実施するための最良の形態】
【００１３】
以下、本発明を餃子の製造方法に適用した実施例に基づき本発明の実施の形態を説明する。
【実施例】
【００１４】
まず、餃子の皮材を作るために、小麦粉からなる皮原料に、適量の水、小量の塩及び液体の紅麹を加えて混練し皮生地を得た。液体の紅麹は、水１００ｃｃに対して０．０４ｇの割合で加えた。水、塩の量は、通常の皮材の製造方法に準じて適宜決定することができる。また、皮原料には小麦粉のほかにイースト菌などの添加物を加えることができる。
【００１５】
次に、皮生地を、５〜１０℃の冷蔵庫内で２４時間寝かして低温熟成し、この低温熟成後の皮生地を伸ばして成形し、皮材を得た。最後に、この皮材で具材を包んで成形し、餃子を得た。具材には馬肉の挽肉を配合し、このほかにキャベツ、ニラ、ニンニク、玉葱、生姜、りんご、香辛料、調味料を配合した。具材は、従来の一般的な方法によって作ることができる。
【００１６】
このようにして得られた餃子は、焼き餃子、あるいは水餃子として食することができる。実施例によって製造した餃子を焼き餃子及び水餃子にしたところ、皮材は鮮やかな薄紅色を呈して美観に優れており、また、その餃子を食したところ、従来の一般的な餃子に比べ、皮材がまろやかで食感も良く、さらに具材の馬肉との組み合わせによって良好な風味が得られた。
【００１７】
なお、上記と同様の製造方法により着色焼売を製造することもできる。